(57)【要約】【課題】  使用の都度調整する必要がなく、また使用物の付着部分はそのまま覆われるので衛生的である吐出量調整キャップを提供する。【解決手段】  吐出量調整キャップ２は、蓋体３、中栓４および注出栓体５からなる。中栓４および注出栓体５には、その上面略中央にそれぞれ突出部６、７がそれぞれ形成されているとともに、それぞれの突出部６、７にはその頂端の開口部８と突出部６、７の周壁面にわたって一連に形成された複数のスリット開口部９、１０とを有している。中栓４は注出栓体５に回転自在に固定され、中栓４を回転させることにより中栓４および注出栓体５に設けたそれぞれのスリット開口部９、１０が互いに重なる位置と、一方のスリット開口部９と他方の突出部１０の周壁面が重なる位置とを選択的にとることができて粘稠物絞り出し用の吐出量調整ができるものである。【選択図】      図１
2008030849.tif 000002
【特許請求の範囲】
【請求項１】
蓋体、中栓および注出栓体からなる粘稠物絞り出し用の吐出量調整キャップであって、
中栓および注出栓体にはその上面略中央にそれぞれ突出部が形成されているとともに、
それぞれの突出部にはその頂端の開口部と突出部の周壁面にわたって一連に形成された複数のスリット開口部とを有しており、
中栓は注出栓体に回転自在に固定され、
中栓を回転させることにより中栓および注出栓体に設けたそれぞれのスリット開口部が互いに重なる位置と、一方のスリット開口部と他方の突出部の周壁面が重なる位置と、を選択的にとることができる
ことを特徴とする吐出量調整キャップ。
【請求項２】
スリット開口部は中栓および注出栓体にそれぞれ４つ形成されており、周壁面に対して等間隔に配置されていることを特徴とする請求項１記載の吐出量調整キャップ。
【請求項３】
中栓に設けられた突出部の外周には水平面を有する段部が形成されており、蓋体に設けた環状のエアタイトリングの先端が蓋体を閉じた状態で前記中栓の段部に対して密着されることにより容器内の内容物と外気とが遮断されることを特徴とする請求項１記載の吐出量調整キャップ。
【発明の詳細な説明】
【技術分野】
【０００１】
本発明は、マヨネーズ、ケチャップ等の粘稠物用の絞り出し容器の吐出量調整キャップであり、使用時の吐出量を自由に調整可能とした吐出量調整キャップに関する。
【背景技術】
【０００２】
使用時において内容物の吐出量を調整することができるキャップについて、例えば特開２００４−１９６４１５公報ではマヨネーズのような粘性液状体の吐出量を調整するものが提案されている。また、キャップの絞り出し口にスリット部を形成することで立体的な星形にきれいに押出すことができるものが特開２００５−０９６７７６公報に開示されている。
【特許文献１】特開２００４−１９６４１５公報
【特許文献２】特開２００５−０９６７７６公報
【発明の開示】
【発明が解決しようとする課題】
【０００３】
ところが、従来技術によればキャップは中央に回転軸が設けられ、キャップ基部に設けた開口部と回転部材に設けた異なる大きさの開口部との重なりによって吐出量が調整されるため小孔を設けた場合にはマヨネーズ等の粘稠物が使用後に残り孔を塞いで次回の使用を困難とするばかりか衛生的な問題がある。
【０００４】
そこで本発明は、マヨネーズ等の粘性液状体に使用可能であり、３０〜１００％の調整ができるとともに立体状に押し出すことができる吐出口をキャップの中央部に有し、所定量に調整したまま第二の外蓋で全閉できるようにしたもので、使用の都度調整する必要がなく、また使用物の付着部分はそのまま覆われるので衛生的である吐出量調整キャップを提供する。
【課題を解決するための手段】
【０００５】
本発明の請求項１に係る吐出量調整キャップは、蓋体、中栓および注出栓体からなる粘稠物絞り出し用の吐出量調整キャップであって、中栓および注出栓体にはその上面略中央にそれぞれ突出部が形成されているとともに、それぞれの突出部にはその頂端の開口部と突出部の周壁面にわたって一連に形成された複数のスリット開口部とを有しており、中栓は注出栓体に回転自在に固定され、中栓を回転させることにより中栓および注出栓体に設けたそれぞれのスリット開口部が互いに重なる位置と、一方のスリット開口部と他方の突出部の周壁面が重なる位置と、を選択的にとることができることを特徴とするものである。
【０００６】
本発明の請求項２に係る吐出量調整キャップは、請求項１記載の吐出量調整キャップにおいて、スリット開口部は中栓および注出栓体にそれぞれ４つ形成されており、周壁面に対して等間隔に配置されていることを特徴とするものである。
【０００７】
本発明の請求項３に係る吐出量調整キャップは、請求項１記載の吐出量調整キャップにおいて、中栓に設けられた突出部の外周には水平面を有する段部が形成されており、蓋体に設けた環状のエアタイトリングの先端が蓋体を閉じた状態で前記中栓の段部に対して密着されることにより容器内の内容物と外気とが遮断されることを特徴とするものである。
【発明の効果】
【０００８】
本発明によれば、マヨネーズ等の粘性液状体に使用可能であり、３０〜１００％の調整ができるとともに立体状に押し出すことができる吐出口をキャップの中央部に有し、所定量に調整したまま第二の外蓋で全閉できるようにしたもので、使用の都度調整する必要がなく、また使用物の付着部分はそのまま覆われるので衛生的である。
【発明を実施するための最良の形態】
【０００９】
図１は本発明のキャップの組立状態を示す断面図、図２はキャップを一部破断して示す斜視図、図３は外蓋を外した態様を示す正面図、図４は容器本体にキャップを取り付けた全体正面図である。
【００１０】
図1ないし図4において、１は容器本体、２はキャップである。キャップ２は、蓋体３、中栓４および注出栓体５からなり、中栓４および注出栓体５には、その上面略中央にそれぞれ突出部６、７が形成されているとともに、それぞれの突出部６、７にはその頂端の開口部８と突出部６、７の周壁面にわたって一連に形成された複数のスリット開口部９、１０とを有している。中栓４は注出栓体５に回転自在に固定され、中栓４を回転させることにより中栓４および注出栓体５に設けたそれぞれのスリット開口部９、１０が互いに重なる位置と、一方のスリット開口部９と他方の突出部１０の周壁面が重なる位置とを選択的にとることができ、粘稠物絞り出し用の吐出量調整ができる構成となっている。
【００１１】
前記スリット開口部９、１０は、中栓４および注出栓体５にそれぞれ４つ形成されており、周壁面に対して等間隔に配置されている。また、中栓４に設けられた突出部６の外周には、水平面を有する段部１１が形成されており、蓋体３に設けた環状のエアタイトリング１２の先端が蓋体３を閉じた状態で中栓４の段部１１に対して密着し、これにより容器１内の内容物と外気とが遮断されるようになっている。
【００１２】
以上のような構成とすることにより、３０〜１００％の調整が可能であり、さらにスリット開口部９、１０を有することにより立体状に内容物を押出すことができ、一度所定量に調整した後はそのまま蓋体３を閉じて容器本体１を密封できるので、使用の都度いちいち注出量を調整する必要がないうえ、中栓４および注出栓体５は、蓋体３に設けた環状のエアタイトリング１２により覆われるので衛生的である。また回転軸が無いため自動組立装置を用いての容器の組立が容易であるうえ、組立工数が低減可能である。
【００１３】
また、中栓４と注出栓体５は突出部６、７の側面にそれぞれ形成した環状突起１３および環状凹溝１４が嵌合されることにより回転自在に固定されることが好ましい。環状突起１３と環状凹溝１４の嵌合により固定されることにより回転軸等の別部材を設けることなく組立ての作業性も向上される。さらに、蓋体３と中栓４は薄肉状に一体に形成されたヒンジ部１５により連結することにより吐出量を調整するために中栓４を任意の位置に回転移動させた場合であっても蓋体３は中栓４との関係において常に同じ位置で開閉されるため密封性等の調整が容易となる。
【図面の簡単な説明】
【００１４】
【図１】本発明のキャップの組立状態を示す断面図である。
【図２】キャップを一部破断して示す斜視図である。
【図３】外蓋を外した態様を示す正面図である。
【図４】容器本体にキャップを取り付けた全体正面図である。
【符号の説明】
【００１５】
１  容器本体
２  キャップ
３  蓋体
４  中栓
５  注出栓体
６、７  突出部
８  開口部
９、１０  スリット開口部
１１  段部
１２  環状のエアタイトリング
１３  環状突起
１４  環状凹溝
１５  ヒンジ部
【図１】
2008030849.tif 000003
【図２】
2008030849.tif 000004
【図３】
2008030849.tif 000005
【図４】
2008030849.tif 000006